(57)【要約】【課題】外界の空気が入って気体の温度や圧力に影響を与えるのを防ぐ温湿度制御可能なエアフローシステムを提供する。【解決手段】温湿度制御可能なエアフローシステムはその内部で気体を循環させるのに用いられ、リサイクルユニット、少なくとも１つの給気ユニット及び少なくとも１つの還気ユニットを含み、リサイクルユニットは気体の温度及び湿度を調節するのに用いられ、給気ユニットの吹出口の吹出角度により、吹き出した気体から乱流が生成され、さらに還気ユニットを通じて気体が受け入れられるとともにリサイクルユニット内に送り返される。限りある空間内で乱流を形成するには、給気路は垂直投影方向上では還気路とは重ならず、かつ気体が給気路から出てゆく時の気体圧力は気体が還気路に入る時の気体圧力より大きいので、密閉空間内の気体圧力は正圧になる。【選択図】図１
2020112341.tif 000002
【特許請求の範囲】
【請求項１】
気体を供給してその内部で循環させるのに用いられる温湿度制御可能なエアフローシステムであって、前記温湿度制御可能なエアフローシステムは、
給気口及び還気口を有し、前記給気口と前記還気口の間には温度制御部及び湿度制御部を設置し、前記温度制御部は前記気体を一定の温度域で維持し、前記湿度制御部は前記気体を一定の湿度域で維持する、リサイクルユニットと、
給気路、複数の第一吹出口及び複数の第二吹出口を有し、前記給気路は前記リサイクルユニットの前記給気口と連結する送入口を有し、前記気体は前記リサイクルユニットから前記給気路に入るとともに、前記複数の第一吹出口及び前記複数の第二吹出口から出てゆき、前記給気路内における前記気体の流れには主流方向があり、前記気体は、第一方向に従い前記複数の第一吹出口から出てゆき、また第二方向に従い前記複数の第二吹出口から出てゆき、前記第一方向と前記第二方向のうち少なくとも１つは調整可能である、少なくとも１つの給気ユニットと、
還気路及び複数の還気受入口を有し、前記給気ユニットの下方に実質的に設置され、前記複数の還気受入口は前記複数の第一吹出口及び前記複数の第二吹出口からの前記気体を受け入れ、前記還気路は前記リサイクルユニットの前記還気口と連結する送出口を有し、前記気体は前記還気路から前記リサイクルユニットに入る、少なくとも１つの還気ユニットと、
を含み、
前記給気路は垂直投影方向上では前記還気路とは重ならず、かつ前記気体が前記給気路から出てゆく時の気体圧力は前記気体が前記還気路に入る時の気体圧力より大きい、温湿度制御可能なエアフローシステム。
【請求項２】
前記リサイクルユニットは、前記気体を一定の気圧域で維持する加圧部をさらに有する、請求項１に記載の温湿度制御可能なエアフローシステム。
【請求項３】
前記第一方向は前記主流方向に垂直かつ前記第二方向とは異なる、請求項１に記載の温湿度制御可能なエアフローシステム。
【請求項４】
前記第一方向は前記第二方向に垂直であり、かつ前記第一方向及び前記第二方向はいずれも前記主流方向とは異なる、請求項１に記載の温湿度制御可能なエアフローシステム。
【請求項５】
前記第一方向と前記第二方向との間には角度が設けられ、かつ前記第一方向及び前記第二方向はいずれも前記主流方向とは異なる、請求項１に記載の温湿度制御可能なエアフローシステム。
【請求項６】
前記給気ユニットと前記還気ユニットの間には距離を有し、前記距離は前記複数の第一吹出口及び前記複数の第二吹出口から出た気体が前記複数の還気受入口に入る前に乱流を生成するのに十分な距離である、請求項１に記載の温湿度制御可能なエアフローシステム。
【請求項７】
前記リサイクルユニット、前記給気ユニット及び前記還気ユニットの材質は高分子材料又は金属から選べる、請求項１に記載の温湿度制御可能なエアフローシステム。
【請求項８】
前記給気ユニットの前記給気路内における前記気体の気圧傾度は３００パスカル以下である、請求項１に記載の温湿度制御可能なエアフローシステム。
【請求項９】
密閉空間に設置される、請求項１に記載の温湿度制御可能なエアフローシステム。
【請求項１０】
前記密閉空間にはファン領域及び栽培領域をさらに有し、前記ファン領域には主に前記リサイクルユニットが対応して設置され、前記栽培領域には主に前記給気ユニット及び前記還気ユニットが対応して設置される、請求項９に記載の温湿度制御可能なエアフローシステム。
【請求項１１】
前記密閉空間は貨物コンテナ又は温室である、請求項９に記載の温湿度制御可能なエアフローシステム。
【発明の詳細な説明】
【技術分野】
【０００１】
本発明はエアフローシステムに関し、特に、温湿度制御可能なエアフローシステムに関する。
【背景技術】
【０００２】
気候の変遷や極端な天候の影響により、従来型の温室で栽培された野菜や菌類等の植物は生産量や品質が下降するという現象が起きている。近年では、気候が栽培に与える影響を克服するためにウォーターカーテン温室栽培のシステムが用いられており、それは主にウォーターカーテン設備を利用して温度を下げるという目的を達成し、熱交換の原理により、吸気口にハニカム構造の材料を取り付けるとともに、水が上述のハニカム構造材料を上から下に流れてウォーターカーテンを形成し、温室の別の一端にはファンを設置し、ファンから発生する負圧により、外界の空気が吸い込まれ、ウォーターカーテンを通過して最後に温室内部に入る。このため、高温低湿の外界空気がウォーターカーテンを通過する時、水が吸収した蒸発潜熱により、空気は低温高湿になり、とりわけ菌類の成長に適した環境を造りだす。
【０００３】
しかし、温室内の湿度はウォーターカーテンと外界空気の間の温度・湿度交換のみに依存しており、さらにこのシステム内のファンは温室内部の気体循環を加速させるが、温室内部の湿度低下を招いてしまうので、総合的に見れば、ウォーターカーテン温室栽培システムの湿度は６５％〜７５％前後に達するだけで、このような湿度条件は菌類の生産に必要な湿度には程遠く、ウォーターカーテン温室栽培システムは通常人工的に湿度を補う作業が必要とされ、一般的な状況下でファンが動作する時、温室内で余分な加湿器を作動させないと湿度の維持が保証されない。
【０００４】
これらの点を考慮し、本発明は、気候の変遷や極端な天候が植物栽培に与える影響を克服するための温湿度制御可能なエアフローシステムを開示する。
【発明の概要】
【発明が解決しようとする課題】
【０００５】
本発明の主な目的は、所期の温度・湿度を有する気流を供給する温湿度制御可能なエアフローシステムを提供することである。
【０００６】
本発明の次の目的は、給気ユニットと還気ユニットの設置位置により、気体の流動時に明らかな乱れが生じ、加湿された気体が空間内で均等に分布することにより、湿度を一定に保つことである。
【０００７】
本発明のさらなる目的は、温湿度制御可能なエアフローシステムを貨物コンテナにより自由に移動することを達成できることである。
【課題を解決するための手段】
【０００８】
上述の目的を達成するために、本発明が開示する温湿度制御可能なエアフローシステムは、その内部で気体を循環させるのに用いられ、リサイクルユニット、少なくとも１つの給気ユニット及び少なくとも１つの還気ユニットを含む。リサイクルユニットは給気口及び還気口を有し、給気口と還気口の間には温度制御部及び湿度制御部を設置し、温度制御部は気体を一定の温度域で維持し、湿度制御部は気体を一定の湿度域で維持する。給気ユニットは給気路、複数の第一吹出口及び複数の第二吹出口を有し、給気路はリサイクルユニットの給気口と連結する送入口を有し、気体はリサイクルユニットから給気ユニットの給気路に入るとともに、第一吹出口及び第二吹出口から出てゆき、給気路内における気体の流れには主流方向があり、気体は、第一方向に従い第一吹出口から出てゆき、また第二方向に従い第二吹出口から出てゆき、第一方向と第二方向のうち少なくとも１つは調整可能である。還気ユニットは還気路及び複数の還気受入口を有し、還気ユニットは給気ユニットの下方に実質的に設置され、還気受入口は第一吹出口及び第二吹出口からの気体を受け入れ、還気路はリサイクルユニットの還気口と連結する送出口を有し、気体は還気ユニットの還気路からリサイクルユニットに入る。給気路は垂直投影方向上では還気路とは重ならず、かつ気体が給気路から出てゆく時の気体圧力は気体が還気路に入る時の気体圧力より大きい。さらに、温湿度制御可能なエアフローシステムが密閉空間に設置され、前記密閉空間は貨物コンテナ又は温室である。
【発明の効果】
【０００９】
本発明が開示する温湿度制御可能なエアフローシステムは、気体が給気ユニットを出た後、給気ユニットの下方に設置された還気ユニットにより、気体の流動時に明らかな乱れが自然と生じ、加湿された気体を空間内で均等に分布させて湿度を一定に保つことができる。
【図面の簡単な説明】
【００１０】
【図１】本発明の温湿度制御可能なエアフローシステムの構造を示す概略図である。
【図２】本発明の温湿度制御可能なエアフローシステムの気流を示す概略図である。
【図３】本発明の温湿度制御可能なエアフローシステムを貨物コンテナに応用する構造を示す概略図である。
【発明を実施するための形態】
【００１１】
本発明で採用する技術手段及びその構造を完全に理解できるよう、図面と好ましい実施例を用いて本発明の特徴及び効果について以下に詳しく説明する。
【００１２】
本発明の温湿度制御可能なエアフローシステムの構造を示す図１を参照されたい。本発明の温湿度制御可能なエアフローシステム１は気体を供給してその内部で循環させるのに用いられ、本発明の温湿度制御可能なエアフローシステム１はリサイクルユニット１２、少なくとも１つの給気ユニット１４及び少なくとも１つ還気ユニット１６を含む。リサイクルユニット１２は給気口１２２及び還気口１２４を有し、給気口１２２と還気口１２４の間には温度制御部Ｃｔ及び湿度制御部Ｃｈを設置し、温度制御部Ｃｔは気体を一定の温度域で維持し、湿度制御部Ｃｈは気体を一定の湿度域で維持する。給気ユニット１４は給気路１４２、複数の第一吹出口１４４及び複数の第二吹出口１４６を有し、給気路１４２はリサイクルユニット１２の給気口１２２と連結する送入口１４２ｉを有し、気体はリサイクルユニット１２から給気ユニット１４の給気路１４２に入るとともに、第一吹出口１４４及び第二吹出口１４６から出てゆき、給気路１４２内における気体の流れには主流方向があり、気体は、第一方向に従い第一吹出口１４４から出てゆき、また第二方向に従い第二吹出口１４６から出てゆき、第一方向と第二方向のうち少なくとも１つは調整可能である。還気ユニット１６は還気路１６２及び複数の還気受入口１６４を有し、還気ユニット１６は給気ユニット１４の下方に実質的に設置され、還気受入口１６４は第一吹出口１４４及び第二吹出口１４６からの気体を受け入れ、還気路１６２はリサイクルユニット１２の還気口１２４と連結する送出口１６２ｏを有し、気体は還気ユニット１６の還気路１６２からリサイクルユニット１２に入る。給気路１４２は垂直投影方向上では還気路１６２とは重ならず、かつ気体が給気路１４２から出てゆく時の気体圧力は気体が還気路１６２に入る時の気体圧力より大きい。
【００１３】
上述の第一方向は主流方向に垂直であるが、第二方向とは異なる。例えば、給気路１４２を水平に設置したとき、気体の主流方向は給気路１４２が設置された方向に沿っており、図２を参照すると図中の間隔の長い破線（跳び破線）で指し示した方向である。主流方向と垂直の第一方向は一点鎖線が指し示した方向であり、すなわち垂直下向きの方向であり、気体は明らかな乱流を自然に形成できるために、図中の間隔の短い破線が示すように、第二方向は第一方向と垂直であるが主流方向とは異なり、若しくは図中の点線が示すように、第二方向と第一方向との間には角度が設けられるが主流方向とは異なる。
【００１４】
次に図３を参照されたい。本発明の温湿度制御可能なエアフローシステム１は、温室又は貨物コンテナである密閉空間Ｓｃに設置することができ、本実施例では４０フィートコンテナを例に挙げ、貨物コンテナの長さは１２ｍ、幅と高さはいずれも約２．３ｍ前後であるため、温湿度制御可能なエアフローシステム１全体は１２ｍの長さを有し、給気ユニット１４及び還気ユニット１６の間には距離を有し、この距離はおおむね２ｍ以内であり、これは給気路１４２の第一吹出口１４４及び第二吹出口１４６からの気体が還気路１６２の還気受入口１６４に入る前に明らかな乱流を自然と生成するのに十分な距離である。
【００１５】
また、リサイクルユニット１２内には温度制御部Ｃｔ及び湿度制御部Ｃｈを備え、リサイクルユニット１２内に戻ってきた気体の温度及び湿度の調整を行う。このため、リサイクルユニット１２内では熱交換、湿度交換の反応が生じ、さらに給気ユニット１４に輸送された気体の圧力が確実に一定の気圧域で維持されるようにするため、リサイクルユニット１２内には、気体の増圧作業を行う加圧部（図中未表示）をさらに設置することができ、上述の気体に対する様々な処理に基づき、通常リサイクルユニット１２が設置されている領域付近には余分な熱エネルギーが発生するが、温湿度制御可能なエアフローシステム１の温度・湿度制御効果に影響しないように、密閉空間Ｓｃ内をパーティション又はその他の構造によりファン領域Ａｍと栽培領域Ａｐに間仕切る。ファン領域Ａｍには主にリサイクルユニット１２が対応して設けられ、栽培領域Ａｐには主に給気ユニット１４及び還気ユニット１６が対応して設置される。このことからわかるように、栽植、栽培に用いられる設備は栽培領域Ａｐに設置され、かつ栽培領域Ａｐもまた気体が主に乱流を生成する領域である。
【００１６】
上述の加圧部は一定の気圧域を有する気体を提供でき、この気圧域では主に気体が給気ユニット１４内で流通する時に必要な気体の圧力を維持できる。図３が示す温湿度制御可能なエアフローシステムを例に挙げると、温湿度制御可能なエアフローシステム１は貨物コンテナ内に設置されるので、加圧部が提供する気体圧力は、気体がリサイクルユニット１２から出た後に給気ユニット１４の最末端まで流れるのに十分な気体でなければならず、つまり、気体はおおむね一定の気体圧力下で１２ｍの位置まで流れる必要がある。一般的には給気ユニット１４の長さがどれほどであっても、給気ユニット１４の給気路１４２内の気圧傾度は３００パスカル以下であるため、確実に給気路１４２内の気体が十分な流動エネルギーを有することができる。さもなければ、栽培領域Ａｐにおけるファン領域Ａｍ近くの気体の流量がファン領域Ａｍから遠くの気体の流量よりも大きくなり、全体的な気体の循環に不均衡が生じる現象が起きる可能性がある。
【００１７】
本発明が開示する温湿度制御可能なエアフローシステム１において、リサイクルユニット１２、給気ユニット１４及び還気ユニット１６の材質は高分子材料または金属から選ぶことができる。
【００１８】
上述のことから、本発明で開示した温湿度制御可能なエアフローシステムは、気体の対流を利用して自然に乱流を生成し、また密集した小さい吹出口の設計により、体積の大きな気流が発生するのを防ぎ、精確な温度・湿度制御に効果的であり、風速が過大になる問題を回避でき、強風を分散させて加湿のための水分子が容易に吹き飛ばされないようにすることで、密閉空間を高湿度状態に保つのに効果的であり、一般的なエアフローシステムが抱える加湿と冷却の間の相互矛盾という問題を解決できる。
【００１９】
上述の実施例は本発明の技術的思想及び特徴の説明に過ぎず、その目的は当該技術を熟知する者が本発明の内容を理解して実施できるようにすることにあり、本発明の特許請求の範囲を限定するものではない。したがって、本発明で開示した精神に基づき加えた変更や潤色はすべて、本発明の特許請求の範囲内に含まれる。
【符号の説明】
【００２０】
１  温湿度制御可能なエアフローシステム
１２  リサイクルユニット
１２２  給気口
１２４  還気口
１４  給気ユニット
１４２  給気路
１４２ｉ  送入口
１４４  第一吹出口
１４６  第二吹出口
１６  還気ユニット
１６２  還気路
１６２ｏ  送出口
１６４  還気受入口
Ａｍ  ファン領域
Ａｐ  栽培領域
Ｃｔ  温度制御部
Ｃｈ  湿度制御部
Ｓｃ  密閉空間
【図１】
2020112341.tif 000003
【図２】
2020112341.tif 000004
【図３】
2020112341.tif 000005